(57)【特許請求の範囲】
【請求項１】
配送伝票部とその配送伝票部との印字情報のマッチングが必要な通信シート部とを隣接して設けた上紙と、その上紙の裏面に擬似接着剤を介して貼り合わせられたタック紙とで構成した配送用帳票であって、配送伝票部と通信シート部の境界に、タック紙の剥離紙の上まで至るハーフカットを入れ、配送伝票部を、配達票、貼付票及び店舗控で構成し、それらの分割部にタック紙の上までのハーフカット又はハーフミシンを入れ、通信シート部に、申込みハガキ、申込み控、受付控を区画し、申込みハガキと申込み控とを合わせた部分が受付控の部分と二つ折りで重なるようにこれらを配置するとともに、受付控の下側に位置するタック紙の表面に申込みハガキの宛名を印刷し、タック紙から剥がす必要のある上紙の所定領域の裏面、すなわち配送伝票部における配達票、貼付票及び店舗控の裏面と通信シート部における受付控の裏面に剥離インキを印刷し、受付控と申込み控及び申込みハガキとの間に、タック紙における剥離紙の上までハーフミシンを入れ、申込み控と申込みハガキの間にタック紙の上までハーフカットを入れるとともに、タック紙における申込み控と申込みハガキとの間の境界線を受付控の部分まで伸ばした線上に、剥離紙の上までのハーフミシンを入れたことを特徴とする配送用帳票。
【請求項２】
上紙における所定領域を剥がすキッカケとなる角部分に、擬似接着剤を塗布しない糊抜き部分を残したことを特徴とする請求項１に記載の配送用帳票。
【発明の詳細な説明】
【０００１】
【発明の属する技術分野】
本発明は、百貨店業界、通信販売業界、ブライダル業界等で行われているカタログギフト用のカタログを配送する際に好適に利用される配送用帳票に関するものである。
【０００２】
【従来の技術】
従来、この種の配送用帳票として、例えば特開昭６０−１９９６９５号公報に見られるように、贈答品のカタログと申込みハガキ等を一冊に綴じ合わせた形態のものが知られている。この帳票を利用することにより、被贈答者はカタログから商品を選定し、申込みハガキにて当該商品を申し込むことができる。
【０００３】
【発明が解決しようとする課題】
従来の技術で述べた配送用帳票は、前述のようにカタログと申込みハガキ等が一冊に綴じ合わされた形態となっているが、カタログを送付する配送伝票は別に用意し、申込みハガキ等と配送伝票の印字情報をマッチングする必要があった。また、一冊に綴じ合わされた形態となっているため、印字情報については、店舗等で使用している汎用のカット紙プリンタでの出力ができないという問題点があった。
【０００４】
本発明は、上記のような問題点に鑑みてなされたものであり、その目的とするところは、カット紙プリンタでの処理が可能で、マッチング作業の軽減を図ることができ、また必要に応じて帳票の各部分を剥離紙から容易に剥がすことができる配送用帳票を提供することにある。
【０００５】
【課題を解決するための手段】
請求項１に記載の発明である配送用帳票は、配送伝票部とその配送伝票部との印字情報のマッチングが必要な通信シート部とを隣接して設けた上紙と、その上紙の裏面に擬似接着剤を介して貼り合わせられたタック紙とで構成した配送用帳票であって、配送伝票部と通信シート部の境界に、タック紙の剥離紙の上まで至るハーフカットを入れ、配送伝票部を、配達票、貼付票及び店舗控で構成し、それらの分割部にタック紙の上までのハーフカット又はハーフミシンを入れ、通信シート部に、申込みハガキ、申込み控、受付控を区画し、申込みハガキと申込み控とを合わせた部分が受付控の部分と二つ折りで重なるようにこれらを配置するとともに、受付控の下側に位置するタック紙の表面に申込みハガキの宛名を印刷し、タック紙から剥がす必要のある上紙の所定領域の裏面、すなわち配送伝票部における配達票、貼付票及び店舗控の裏面と通信シート部における受付控の裏面に剥離インキを印刷し、受付控と申込み控及び申込みハガキとの間に、タック紙における剥離紙の上までハーフミシンを入れ、申込み控と申込みハガキの間にタック紙の上までハーフカットを入れるとともに、タック紙における申込み控と申込みハガキとの間の境界線を受付控の部分まで伸ばした線上に、剥離紙の上までのハーフミシンを入れたことを特徴としている。
【０００８】
請求項２に記載の発明である配送用帳票は、請求項１に記載の配送用帳票において、上紙における所定領域を剥がすキッカケとなる角部分に、擬似接着剤を塗布しない糊抜き部分を残したことを特徴としている。
【００１３】
【発明の実施の形態】
図１は本発明に係る配送用帳票の一例を示す平面図であり、ここではカタログギフト向けの配送用帳票に適用した例を示している。また、図２は図１に示す配送用帳票を構成する上紙とその裏面に貼り合わせるタック紙とを分離状態で別々に示す平面図、図３は図１に示す配送用帳票の断面図である。
【００１４】
上紙Ａは、上質紙、インクジェット用紙、再生紙等の印字適性のある用紙１の裏面の所定領域に剥離インキ２を印刷したものであり、また、タック紙Ｂは、上質紙３の裏面に粘着剤４を介して剥離紙５を貼り合わせたものである。そして、図１の配送用帳票は、上紙Ａの裏面に擬似接着剤６を介してタック紙Ｂが貼り合わされた層構成になっている。
【００１５】
上紙Ａには配送伝票部１０と通信シート部２０とが隣接して設けられており、配送伝票部１０は配達票１１と貼付票１２と店舗控１３に区画され、通信シート部２０は受付控２１と申込み控２２と申込みハガキ２３に区画されている。そして、配送伝票部１０と通信シート部２０の境界には、タック紙Ｂの剥離紙５の上まで至るハーフカットａが入れられている。
【００１６】
また、図示の例では、上辺に帯部分３０が設けられている。また、この帯部分３０の境界線にはタック紙Ｂの剥離紙５の上まで至るハーフカットａが入れられている。このような帯部分は、帳票の四方、或いは少なくともプリンタの搬送方向に平行する一辺、或いは分割するために設けたハーフカットに対して直交する一辺に設けられていればよく、その幅は５〜１０ｍｍ程度である。
【００１７】
配送伝票部１０の配達票１１と貼付票１２と店舗控１３は使用時にそれぞれタック紙Ｂから剥がす必要があるので、その上紙Ａの裏面には剥離インキ２を印刷している。また、通信シート部２０の受付控２１も使用時に剥がすので、その上紙Ａの裏面に剥離インキ２を印刷している。図１及び図２において斜線で囲った部分は上紙Ａの裏面に剥離インキ２を印刷した領域を示している。そして、図４に示すように、上紙Ａにおけるそれらの所定領域を剥がすキッカケとなる角部分には、擬似接着剤６を塗布しない糊抜き部分１４，１５，２４を残している。
【００１８】
また、通信シート部２０における受付控２１の下側に位置するタック紙Ｂの表面に申込みハガキ２３の宛名が印刷されている。
【００１９】
また、受付控２１と、申込み控２２及び申込みハガキ２３との間に、タック紙Ｂにおける剥離紙５の上までのハーフミシンαが入れられている。
【００２０】
また、配送伝票部１０の配達票１１と貼付票１２と店舗控１３の分割部、及び申込み控２２と申込みハガキ２３の間に、タック紙Ｂの上までのハーフカットｂが入れられている。
【００２１】
また、タック紙Ｂには、申込み控２２と申込みハガキ２３との間の境界線を受付控２１の部分まで伸ばした線上に、剥離紙５の上までのハーフミシンβが入れられている。
【００２２】
上紙Ａとタック紙Ｂを貼り合わせる擬似接着剤６としては、例えば、ウレタン系、アクリル系などの熱可塑性樹脂を使用することができ、フレキソ法、グラビア法などの公知の印刷法又はコーティング法によって、厚み０．１〜５０μｍ程度に塗布し、貼り合わせ後に、必要に応じて乾燥させる。上紙Ａとタック紙Ｂは、接着剤（又は樹脂）が乾燥していない状態で貼り合わせるウェット又はセミウェットラミネート方式、熱圧着方式や感圧方式によって貼り合わせる。
【００２３】
剥離インキ２としては、上紙Ａの所定領域がタック紙Ｂから容易に剥離できるような接着性の低い樹脂を使用することが好ましく、ポリエチレン、ポリプロピレン、ポリブチレン等のオレフィン系（共）重合体を用いることが最も好ましいが、他にも、ポリスチレン、ポリビニルブチラール、酢酸ビニル共重合体、エチレン−酢酸ビニル共重合体、塩化ビニル−酢酸ビニル共重合体、アクリル樹脂、セルロース樹脂等の熱可塑性樹脂が用いられる。また、所望に応じて、酸化防止剤、熱安定剤、紫外線吸収剤、スリップ剤、帯電防止剤、防曇剤、着色剤、フィラー等が添加されていてもよい。剥離インキ２の塗布量・塗布厚は特に限定されないが、好ましくは、塗布量は０．１〜１０μｍである。
【００２４】
粘着剤４としては、アクリル系粘着剤が最も好ましいが、天然ゴム系粘着剤、合成ゴム系粘着剤、シリコーンゴム系粘着剤等でもよい。粘着剤４の塗布量・塗布厚は特に限定されないが、好ましくは、塗布量は０．１〜５０ｇ／ｍ2 であり、塗布厚は０．１〜５０μｍである。
【００２５】
図５は上記構成からなる配送用帳票の使用方法を示すもので、以下にその具体的な使用手順について説明する。
【００２６】
まず、図１に示す配送用帳票をノンインパクト方式或いはインクジェット方式のカット紙プリンタかけて、各欄に所定の事項を印字する。この場合、上辺に帯部分３０が設けられているので、スムーズに印字を行うことができる。
【００２７】
プリンタによる印字を終えた後、図５（Ａ）に示すように、受付控２１と申込み控２２と申込みハガキ２３とからなる通信シート部２０の部分を剥離紙５より剥がす。そして、この剥がした通信シート２０をハーフミシンαの部分で半分に折り曲げて粘着剤４同士を貼り合わせ、図５（Ｂ）に示す状態にする。
【００２８】
次に、図５（Ｃ）に示すように、貼り合わせを行った受付控２１と申込み控２２と申込みハガキ２３から、受付控２１を作業現場で剥がして保管する。このように受付控２１を剥がすと、その下面に申込みハガキ２３の宛名面が印刷されており、所定の宛先に届くハガキとして使用できる。そして、申込み控２２と申込みハガキ２３は、送付するカタログと一緒に段ボールの中に梱包する。
【００２９】
一方、配送用帳票に残っている配送伝票部１０を剥離紙５から剥がして段ボール箱に貼付する。配送伝票部１０の店舗控１３は作業現場で剥がして保管し、配達票１１は運送会社のドライバーが剥がして、搬送先にに受領印を貰った後、持ち帰って運送会社で保管する。
【００３０】
配送先では、カタログから商品を選定し、申込みハガキ２３に商品名等を記載し、申込みハガキ２３と申込み控２２をハーフミシンβにて切り離してから申込みハガキ２３をポストに投函する。
【００３１】
以上、本発明を実施の形態に基づいて説明してきたが、本発明による配送用帳票は、上記実施の形態に何ら限定されるものでなく、本発明の趣旨を逸脱しない範囲において種々の変更が可能であることは当然のことである。
【００３２】
【発明の効果】
請求項１に記載の発明である配送用帳票は、配送伝票部とその配送伝票部との印字情報のマッチングが必要な通信シート部とを隣接して設けた上紙と、その上紙の裏面に擬似接着剤を介して貼り合わせられたタック紙とで構成した配送用帳票であって、配送伝票部と通信シート部の境界に、タック紙の剥離紙の上まで至るハーフカットを入れ、配送伝票部を、配達票、貼付票及び店舗控で構成し、それらの分割部にタック紙の上までのハーフカット又はハーフミシンを入れ、通信シート部に、申込みハガキ、申込み控、受付控を区画し、申込みハガキと申込み控とを合わせた部分が受付控の部分と二つ折りで重なるようにこれらを配置するとともに、受付控の下側に位置するタック紙の表面に申込みハガキの宛名を印刷し、タック紙から剥がす必要のある上紙の所定領域の裏面、すなわち配送伝票部における配達票、貼付票及び店舗控の裏面と通信シート部における受付控の裏面に剥離インキを印刷し、受付控と申込み控及び申込みハガキとの間に、タック紙における剥離紙の上までハーフミシンを入れ、申込み控と申込みハガキの間にタック紙の上までハーフカットを入れるとともに、タック紙における申込み控と申込みハガキとの間の境界線を受付控の部分まで伸ばした線上に、剥離紙の上までのハーフミシンを入れたことを特徴としているので、カット紙プリンタでの印字が可能となり、マッチング作業の軽減を図ることができる。
【００３３】
そして、配送伝票部と通信シート部の境界に、タック紙の剥離紙の上まで至るハーフカットを入れたことにより、剥離紙から容易に帳票の各部分を剥がすことができ、配送伝票部を、配達票、貼付票及び店舗控で構成し、それらの分割部にタック紙の上までのハーフカット又はハーフミシンを入れたことにより、それぞれの片を容易に剥離することができ、通信シート部に、申込みハガキ、申込み控、受付控を区画し、申込みハガキと申込み控とを合わせた部分が受付控の部分と二つ折りで重なるようにこれらを配置するとともに、受付控の下側に位置するタック紙の表面に申込みハガキの宛名を印刷したことにより、受付控を剥がすと申込みハガキの宛名面が印刷されていることから、そのまま宛先の決まったハガキとして使用でき、タック紙から剥がす必要のある上紙の所定領域の裏面に剥離インキを印刷したことにより、タック紙と貼り合わせた際の接着力を調整でき、またタック紙の表面にカラー絵柄で広告等の印刷も行え、受付控と申込み控及び申込みハガキとの間に、タック紙における剥離紙の上までハーフミシンを入れたことにより、剥離紙から通信シート部を一度に剥離した後に、これを容易に半分に折り曲げて粘着面同士を貼り合わせることができ、申込み控と申込みハガキの間にタック紙の上までハーフカットを入れるとともに、タック紙における申込み控と申込みハガキとの間の境界線を受付控の部分まで伸ばした線上に、剥離紙の上までのハーフミシンを入れたことにより、貼り合わせ後の申込み控と申込みハガキを切り取って分割することができる。
【００３５】
請求項２に記載の発明である配送用帳票は、請求項１に記載の配送用帳票において、上紙における所定領域を剥がすキッカケとなる角部分に、擬似接着剤を塗布しない糊抜き部分を残したことを特徴としているので、上記効果に加えて、キッカケがあることで所定領域を剥がすのが容易となる。
【図面の簡単な説明】
【図１】本発明に係る配送用帳票の一例を示す平面図である。
【図２】図１に示す配送用帳票を構成する上紙とその裏面に貼り合わせるタック紙とを分離状態で別々に示す平面図である。
【図３】図１に示す配送用帳票の断面図である。
【図４】擬似接着剤を塗布状態を示す説明図である。
【図５】図１に示す配送用帳票の使用方法を示す説明図である。
【符号の説明】
Ａ  上紙
Ｂ  タック紙
１  用紙
２  剥離インキ
３  上質紙
４  粘着剤
５  剥離紙
６  擬似接着剤
１０  配送伝票部
１１  配達票
１２  貼付票
１３  店舗控
１４，１５  糊抜き部分
２０  通信シート部
２１  受付控
２２  申込み控
２３  申込みハガキ
２４  糊抜き部分
ａ，ｂ  ハーフカット
α，β  ハーフミシン
【図１】
0004443019.tif 000002
【図２】
0004443019.tif 000003
【図３】
0004443019.tif 000004
【図４】
0004443019.tif 000005
【図５】
0004443019.tif 000006